(57)【要約】【課題】記録メディア１１、１３を２枚同時に使用可能とし、記録容量を倍増したコネクタ２０を提供する。【解決手段】記録メディア１１、１３を挿入するコネクタ２０のスロット内面の厚さ方向対向面２３、２４の間隔を、板状の記録メディア１１、１３を重ねて２枚同時に挿入可能な寸法に形成し、記録メディア１１、１３を、接点１２、１４が外側になるように２枚背中合わせに重ねて矢印１５で示すようにコネクタ２０内に挿入できる。２枚の記録メディア１１、１３が接触する入出力部材（端子）２１、２２をスロット内面の厚さ方向対向面２３、２４に設けた。【選択図】        図１
2004192124.tif 000002
【特許請求の範囲】
【請求項１】
記録メディアを挿入するコネクタのスロット内面の厚さ方向対向面間隔を、板状の記録メディアを重ねて２枚同時に挿入可能な寸法に形成し、挿入した２枚の記録メディアにそれぞれ接触する入出力部材を内部に備えたことを特徴とする記録メディアのコネクタ。
【請求項２】
片面側に接点を設けた記録メディアを、接点が外側になるように２枚背中合わせに重ねて挿入し、２枚の記録メディアのそれぞれが接触する入出力部材をスロット内面の厚さ方向対向面にそれぞれ設けたことを特徴とする請求項１記載の記録メディアのコネクタ。
【発明の詳細な説明】
【０００１】
【発明の属する技術分野】
本発明はデジタルカメラや携帯型メディアプレーヤなど各種の電子機器に適用される記録メディアのコネクタに係り、特にメモリカードその他のリムーバブルメディアを電子機器本体に保持するための構造に関する。
【０００２】
【従来の技術】
デジタルカメラや携帯型メディアプレーヤでは、撮影した画像のデータを記録する手段として、メモリカードなどの薄い板状の記録メディアが用いられる。通常、カメラ本体には記録メディアを挿入するコネクタのスロット（メディアスロット）が設けられており、記録データ量が増えた時にはスロット内の記録メディアを入れ替えて記録する必要がある。このため、従来のデジタルカメラでは予備の記録メディアを持ち歩く必要があり、また、記録メディアを入れ替える交換作業が煩わしいという欠点があった。
【０００３】
このような課題を解決するため、カメラ本体に複数の記録メディアを装着可能にした装置があるが、例えばカメラ本体に複数のメディアスロットを備える場合、各メディアスロットにそれぞれ電気的コネクタを設けるので、カメラ本体が大型化する。コネクタを電気的に移動させるようにした装置では、アクチュエータなどの電動駆動機構が必要となり、構造が複雑になると共に本体も大型化するという欠点がある。
【０００４】
また、カメラ本体以外の外部装置に複数の記録メディアを装着し、この外部装置とカメラ本体の間でデータの受け渡しを行うシステムでは、装置が複雑になり、操作も煩雑である。
【０００５】
２枚以上の記録メディアを挿入することが可能で、必要に応じて差し替える構造の筐体構造もあるが、使用できるメデイアは１枚に限られ、ユーザが切り替える作業は軽減されない。
【０００６】
これらの技術を改善した技術として、複数の記録媒体を重ねて収納し、媒体収納室内に挿入された記録媒体を規定位置に向けて付勢する付勢手段を備え、規定位置の接触面と付勢手段との間に複数の記録媒体を保持させる構造を備えたものがある（例えば特許文献１参照。）。
【０００７】
この技術では、複数の記録媒体が保持されている状態から一の記録媒体を取り出すと、他の記録媒体が付勢手段の付勢力によって記録媒体の位置に進出する構造にしたものである。簡単な機構で電子機器本体に複数の記録媒体を収納することができる。しかしこの技術も記録メディアの抜き差しによって１枚の記録メディアが作動するのみである。
【０００８】
【特許文献１】
特開２００１−１４３４５２号公報（第２−６、図３）
【０００９】
【発明が解決しようとする課題】
本発明は、これらの従来技術に改善を加え、抜き差しすることなく、記録メディアを２枚同時に使用可能とし、記録容量を倍増したコネクタを提供することを目的とするものである。
【００１０】
【課題を解決するための手段】
本発明は、上記課題を解決するために開発されたもので、その技術手段は、記録メディアを挿入するコネクタのスロット内面の厚さ方向対向面間隔を、板状の記録メディアを重ねて２枚同時に挿入可能な寸法に形成し、挿入した２枚の記録メディアにそれぞれ接触する入出力部材を内部に備えたことを特徴とする記録メディアのコネクタである。ここでスロット内面の厚さ方向対向面とは、スロットに挿入する板状の記録メディアの板面と対向する面を言う。
【００１１】
また、本発明では、板面の片面側に接点を設けた記録メディアを、接点が外側になるように２枚背中合わせに重ねて挿入し、２枚の記録メディアのそれぞれが接触する入出力部材をスロット内面の厚さ方向対向面にそれぞれ設けると、好適である。
【００１２】
本発明の記録メディアは、例えば、スマートメディアと呼ばれる記録媒体である。このような記録メディアは、小型であり、近年容量が大きくなってはいるが、撮影枚数が多いときは、複数枚を必要とする。本発明のコネクタでは、ユーザーは予め２枚のスマートメディアを、それぞれの接点が外側を向くように重ね合わせて専用コネクタに挿入することにより、同時に２枚を使用することが可能となり、記録メディアを抜き差しすることなく２倍の容量を利用することができるようになった。
【００１３】
【発明の実施の形態】
記録メディアは、電子的、磁気的、若しくは光学的、又はこれらの組み合わせによる方式に従って読み書き可能な媒体である。本発明は、このような記録メディアのうち、平面的な薄板状の形状の記録メディアであって、接点が見える記録メディアを２枚同時に使用できるようにしたものである。
【００１４】
以下図面を参照して本発明の実施の形態を説明する。
【００１５】
図１は、本発明の実施例を模式的に示す説明図である。薄板状の２枚の記録メディア１１，１３を背中合せに組合わせて、記録メディアのコネクタ２０内に矢印１５で示すように挿入する。図では、コネクタ２０は単に空洞のみを示している。コネクタ２０の厚さ方向対向面２３、２４の間隔は記録メディア１１、１３を２枚重ねて挿入できる寸法となっている。記録メディア１１、１３はそれぞれ接点１２、１４を備えている。これらの接点１２、１４が外側になるように、記録メディア１１、１３を組合わせる。一方、コネクタ２０内には、これらの接点１２、１４がそれぞれ接触する入出力部材（端子）２１、２２が設けられている。
【００１６】
２枚の背中合せの記録メディア１１、１３はコネクタ内で接点１２、１４が入出力部材（端子）２１、２２と電気的に結合され、例えば最初に記録メディア１１に情報が入出力され、記録メディア１１が満杯になると、自動的に記録メディア１３に入出力される。場合によっては、例えば情報の種類に応じて、２枚の記録メディアを切替えて入出力するようにすることもできる。
【００１７】
図２は、コネクタ２０の内部構造を説明する模式的斜視図であって、矢印１５で示すように挿入された記録メディア１１、１３の接点と接触する入出力部材（端子）２１、２２の配列例を示したものである。コネクタ２０の基板３０に設けられた入出力部材（端子）２１、２２は、例えば空間的に交互に配設され、矢印３１で示すように情報を入出力する。
【００１８】
本発明によれば、複雑な機構や構造を用いることなく、僅かなスペースで複数枚の記録メディアを装着することができ、記録容量を倍増することができる。
【００１９】
【発明の効果】
本発明によれば、必要最小限のスペースで、特別な機構が無くとも、簡単に２枚の記録メディアを使用することが可能となり、低コストで使い勝手の良い記録保持コネクタ装置を提供することが可能となった。
【図面の簡単な説明】
【図１】実施例の模式図である。
【図２】実施例の内部構造を示す斜視図である。
【符号の説明】
１１、１３    記録メディア
１２、１４    接点
１５    矢印
１６    メモリカードスロット
２０    記録メディアのコネクタ
２１、２２    入出力部材（端子）
２３、２４    対向面
３０    基板
３１    矢印
【図１】
2004192124.tif 000003
【図２】
2004192124.tif 000004